(57)【要約】【課題】本発明は、地筬３枚を用いたラッシェル編機を使用して、経挿入糸を安定した状態で保持すると共に表面に十分に露出することが可能な編地を提供することを目的とするものである。【解決手段】経挿入糸Ｌ２の両側に隣接して編目列が編成されており、編目列は、２つの編成糸Ｌ１が所定の長さの鎖編で交互に編み込まれて形成されている。そのため、編成糸Ｌ１の押さえ部３が所定の間隔で経挿入糸Ｌ２に当接している。地糸Ｌ３は、緯方向に振られながら２つの編目列に編み込まれており、経挿入糸Ｌ２の押さえ部３とは反対側に当接するようになっている。そのため、経挿入糸Ｌ２は、押さえ部３及び地糸Ｌ３により両側から挟持されて安定して保持されるようになる。【選択図】図１
2005298992.tif 000002
【特許請求の範囲】
【請求項１】
地筬３枚を用いたラッシェル編機により編成される編地であって、経方向に延びる経挿入糸と、該経挿入糸に隣接して経方向に編成されると共に複数の編成糸を所定長さ毎に交互に鎖編みすることで編成される編目列と、所定の間隔を置いた複数の前記編目列に交互に編み込まれた地糸とを備え、前記編成糸は、前記編目列の間において緯方向に振られて前記経挿入糸の一方の側に当接しており、前記地糸は、前記編目列の間において緯方向に振られて前記経挿入糸の他方の側に当接していることを特徴とする編地。
【請求項２】
ジャカード柄が一方の面に編み込まれていることを特徴とする請求項１に記載の編地。
【発明の詳細な説明】
【技術分野】
【０００１】
本発明は、地筬３枚を用いたラッシェル編機により編成される編地に関する。
【背景技術】
【０００２】
従来より、経編機を用いて、様々な機能や装飾性を備えた経挿入糸を編み込んだ編地が開発されている。例えば、特許文献１には、反射性スライドファスナー用経編テープの主体部において、反射材をトリコット編糸と緯挿入糸とでサンドイッチ状に狭持して編み込んだ点が記載されている。また、特許文献２には、光反射性経編地において、複数のメッシュ編成糸と、押さえ糸との間に光反射性糸が挿入されて、メッシュの穴の部分において光反射性糸が表面に表れている点が記載されている。また、特許文献３には、紫外線をカットするカーテン用レース地において、レースの地糸の間に金属蒸着フィルム糸を挿入した点が記載されている。
【特許文献１】特開平１０−２９５４１７号公報
【特許文献２】特開２０００−１７００６３号公報
【特許文献３】実開平６−７７６７０号公報
【発明の開示】
【発明が解決しようとする課題】
【０００３】
上述の特許文献１では、トリコット編を用いているため、経挿入糸である反射材を挟持する編成糸の密度が高くなり、経挿入糸が編成糸により隠されてしまうことになる。また、特許文献２では、経挿入糸である光反射性糸が十分露出された状態で保持されるものの、地筬６枚の通常のラッシェル機において地筬を５枚使用しており、多くの地筬を用いなければならない。また、特許文献３では、金属蒸着糸は、鎖編を形成する縦糸に、２つの地糸を絡ませて保持されるようになっており、地筬が少なくとも４枚必要となる。
【０００４】
また、従来より、ジャカードラッシェル機の地筬３枚タイプにおいてジャカード用の柄筬を使用して、ジャカード柄を編成しながら真直な経挿入糸を押さえて地筬４枚タイプと同様の効果を得ることも行われてきたが、柄筬に使用する糸は、通常は加工糸が多く、また、柄を編成する糸なので強いテンションがかけられず、テンションも不揃いなので、経挿入糸の押さえ方が不安定となり、さらに、経挿入糸を押さえる為にジャカード糸を頻繁に横に振る必要がある為に、ジャカード柄に制約ができ、本来の自由な柄を表現することが困難であった。
【０００５】
そこで、本発明は、地筬３枚を用いたラッシェル編機を使用して、経挿入糸を安定した状態で保持すると共に表面に十分に露出することが可能な編地を提供することを目的とするものである。
【課題を解決するための手段】
【０００６】
本発明に係る編地は、地筬３枚を用いたラッシェル編機により編成される編地であって、経方向に延びる経挿入糸と、該経挿入糸に隣接して経方向に編成されると共に複数の編成糸を所定長さ毎に交互に鎖編みすることで編成される編目列と、所定の間隔を置いた複数の前記編目列に交互に編み込まれた地糸とを備え、前記編成糸は、前記編目列の間において緯方向に振られて前記経挿入糸の一方の側に当接しており、前記地糸は、前記編目列の間において緯方向に振られて前記経挿入糸の他方の側に当接していることを特徴とする。さらに、ジャカード柄が一方の面に編み込まれていることを特徴とする。
【発明の効果】
【０００７】
上記のような構成を有することで、経挿入糸は、編目列を構成する編成糸及び地糸により両側から挟持されるので、安定した状態で保持される。また、編成糸が緯方向に振られる間隔を空けることで、経挿入糸が十分表面に露出した状態とすることができる。そして、編成糸の緯方向に振られる間隔は、編目列を構成する鎖編の長さで容易に調整することができる。したがって、３枚の地筬のみにより経挿入糸を安定した状態で保持するとともに十分露出した状態とすることが可能となる。
【０００８】
また、ジャカードによる柄筬を追加する場合でも、経挿入糸が安定した状態で地組織に保持されているので、ジャカード柄が制約を受けることなく地組織に編み込むことが可能となり、少ない枚数の筬で柄模様の入った編地を製造することができ、コストを節減することが可能となる。
【発明を実施するための最良の形態】
【０００９】
以下、本発明に係る実施形態について詳しく説明する。なお、以下に説明する実施形態は、本発明を実施するにあたって好ましい具体例であるから、技術的に種々の限定がなされているが、本発明は、以下の説明において特に発明を限定する旨明記されていない限り、これらの形態に限定されるものではない。
【００１０】
図１は、本発明に係る実施形態に関する編組織の平面図を模式的に示したものであり、図２は、Ｌ１及びＬ３に関する編組織図を示している。
【００１１】
編成糸Ｌ１（白抜きの糸で表示）は、経挿入糸Ｌ２（斜線の糸で表示）の両側に隣接して経方向に延びる編目列を編成するものであり、地糸Ｌ３（黒色の糸で表示）は、緯方向に振られながら編目列に編み込まれている。編成糸Ｌ１は、２つの鎖編１を形成した後隣接する編目列に振られて閉じ目ループ２により編み込まれて鎖編１を形成し、再び元の編目列に戻って閉じ目ループ２により編み込まれる。このように、編成糸Ｌ１は、隣接する編目列に交互に編み込まれながら編目列を編成していくため、隣接する編目列にいくため緯方向に振られる際に経挿入糸と当接する押さえ部３が形成される。押さえ部３は、図１において、紙面手前側から経挿入糸に当接するようになっている。
【００１２】
一方、地糸Ｌ３は、２つの編目列を間に挟んだ２つの編目列の編目に交互に編み込まれており、緯方向に振られながら編み込まれることで、紙面奥側から経挿入糸に当接するようになっている。
【００１３】
そのため、経挿入糸Ｌ２は、押さえ部３と地糸Ｌ３とにより両側から挟持されるようになり、安定した状態で地組織に保持されるようになる。そして、編成糸Ｌ１が編目列で鎖編みする長さにより押さえ部３の間隔が調整できるため、押さえ部３の間から露出する経挿入糸Ｌ２の面積を容易に調整することができる。すなわち、経挿入糸Ｌ２を多く露出させたい場合には、編成糸Ｌ１の鎖編みの長さを長くすれば、押さえ部３の間隔が拡がり、経挿入糸Ｌ２の露出面積を大きくすることができる。また、経挿入糸Ｌ２をしっかり保持する場合には、編成糸Ｌ１の鎖編みの長さを短くして押さえ部３の間隔を狭くすればよい。したがって、経挿入糸Ｌ２にどのような糸を用いるかによって適宜押さえ部３の間隔を調整して最適の地組織に編成することができ、しかも３枚の地筬により編成することが可能となる。
【００１４】
そして、押さえ部３が経挿入糸Ｌ２に当接している編地の側においてジャカードによる柄模様を編み込んでいく場合、地組織が安定した状態に編成されているので、ジャカードに用いる糸を経挿入糸の押さえに使用する必要がなく、こうした制約を受けることなく柄模様を編みこむことが可能となる。また、経挿入糸Ｌ２が表面に露出することで、その上に編み込まれた柄模様が浮き出るように形成される作用を生じるようになる。
【００１５】
編成糸及び地糸としては、レーヨンに代表される再生繊維、綿に代表される天然繊維、アセテート等の半合成繊維、ポリエチレンテレフタレートに代表されるポリエステル系合成繊維、ナイロンに代表される脂肪族ポリアミド系合成繊維あるいはこれらの混合繊維を用いることができ、長繊維糸又は紡績糸のいずれであってもよく、特に限定されない。
【００１６】
経挿入糸としては、レーヨンに代表される再生繊維、綿に代表される天然繊維、アセテート等の半合成繊維、ポリエチレンテレフタレートに代表されるポリエステル系合成繊維、ナイロンに代表される脂肪族ポリアミド系合成繊維あるいはこれらの混合繊維といった繊維の他に、金属、合成樹脂又はこれらの複合物質からなるフィラメントを用いることができる。また、長繊維糸、紡績糸又は装飾糸といったさまざまな形態や機能を備えたものを用いることも可能である。
【００１７】
図３は、本発明に係る別の実施形態に関する編組織を示しており、図４は、Ｌ１及びＬ３に関する編組織図を示している。この例においては、図１の例と同様に編目列を複数の編成糸Ｌ１が交互に鎖編みされて編成されているが、編成糸１が隣接する編目列に振られて開き目ループ４により編み込まれている。編成糸Ｌ１の押さえ部３は、図１の例と同様に、紙面手前側で経挿入糸Ｌ２に当接している。地糸Ｌ３は、図１の例と同様に、２つの編目列を間に挟んだ２つの編目列の編目に交互に編み込まれており、緯方向に振られながら編み込まれることで、紙面奥側から経挿入糸に当接するようになっている。図３の例では、開き目ループにより複数の編成糸が交絡して編目列が編成されるため、伸縮性がある編地とすることができる。
【００１８】
図５は、図１の実施形態の変形例に関する編組織を示しており、図６は、そのＬ１及びＬ３の編組織図を示している。この変形例では、編目列を編成糸Ｌ１により編成する際に編成糸を３つの鎖編により編成するようにしており、その分押さえ部３の間隔が拡がるように設定されている。そのため、経挿入糸Ｌ２の露出面積が大きくなり、例えば反射材を経挿入糸に用いた場合反射率を高めることができる。
【００１９】
図７は、図３の実施形態の変形例に関する編組織を示しており、図８は、そのＬ１及びＬ３の編組織図を示している。この変形例では、図５の場合と同様に編目列を編成糸により編成する際に各編成糸Ｌ１の鎖編の回数を多くして押さえ部３の間隔が拡がるように設定している。
【００２０】
このように、編目列を構成する編成糸の鎖編の長さを調整することで、容易に押さえ部の間隔を調整することができる。したがって、編地の用途、使用する経挿入糸の材質、機能によって適宜調整することが可能となる。
【００２１】
図９は、図１の実施形態の別の変形例に関する編組織を示しており、図１０は、Ｌ１及びＬ３の編組織図を示している。この変形例では、編成糸Ｌ１は、隣接する編目列を越えて２つ目の編目列に振られて編成するようにされており、そのため、押さえ部３が二重に経挿入糸Ｌ２に当接するようになる。したがって、より安定した状態で経挿入糸が保持される。
【００２２】
図１１は、図３の実施形態の別の変形例に関する編組織を示しており、図１２は、そのＬ１及びＬ３の編組織図を示している。この変形例では、図９の場合と同様に編成糸Ｌ１が２つ目の編目列に振られて編成されており、押さえ部３が二重に経挿入糸に当接することで、より安定した状態で経挿入糸が保持されるようになる。
【００２３】
このように、編成糸の緯方向に振られる編目列の数により経挿入糸に当接する押さえ部３の数が調整でき、編地の用途、経挿入糸の材質、機能に応じて適宜調整すればよい。
【００２４】
以上の例では、地糸Ｌ３の振り幅は一定にしているが、振り幅を変えることもできる。例えば、図１３は、図２の組織図の変形例を示しており、図１３（ａ）は、１つの編目列を挟んだ２つの編目列に交互に編み込む場合を示しており、図１３（ｂ）は、隣接する編目列に交互に編み込む場合を示している。地糸Ｌ３の振り幅が小さくなると、編地が薄く仕上がるようになる。
【実施例】
【００２５】
地筬３枚を用いたジャカードラッシェル編機を使用して、図１の実施形態の編地を編成した。編成糸として、ポリエステル繊維からなる８４デシテックスの長繊維糸を用い、地糸として、ポリエステル繊維からなる８４デシテックスの長繊維糸を用いた。また、経挿入糸として、ポリエステル繊維からなる３３６デシテックスの加工糸を用いた。編成は、１８ゲージで行った。さらに、ジャカード柄を編み込んで柄模様が形成された編地を作成した。作成された編地は、経挿入糸が抜けることなく、安定した状態で保持されており、経挿入糸が表面に露出してジャカード柄が浮き出るように形成することができた。
【図面の簡単な説明】
【００２６】
【図１】本発明に係る実施形態の編組織を模式的に示した平面図である。
【図２】図１に示す編組織の組織図である。
【図３】本発明に係る別の実施形態の編組織を模式的に示した平面図である。
【図４】図３に示す編組織の組織図である。
【図５】図１の実施形態の変形例に関する編組織を模式的に示した平面図である。
【図６】図５に示す編組織の組織図である。
【図７】図３の実施形態の変形例に関する編組織を模式的に示した平面図である。
【図８】図７に示す編組織の組織図である。
【図９】図１の実施形態の別の変形例に関する編組織を模式的に示した平面図である。
【図１０】図９に示す編組織の組織図である。
【図１１】図３の実施形態の別の変形例に関する編組織を模式的に示した平面図である。
【図１２】図１１に示す編組織の組織図である。
【図１３】図２に関する変形例を示した組織図である。
【符号の説明】
【００２７】
１    鎖編
２    閉じ目ループ
３    押さえ部
４    開き目ループ
Ｌ１  編成糸
Ｌ２  経挿入糸
Ｌ３  地糸
【図１】
2005298992.tif 000003
【図２】
2005298992.tif 000004
【図３】
2005298992.tif 000005
【図４】
2005298992.tif 000006
【図５】
2005298992.tif 000007
【図６】
2005298992.tif 000008
【図７】
2005298992.tif 000009
【図８】
2005298992.tif 000010
【図９】
2005298992.tif 000011
【図１０】
2005298992.tif 000012
【図１１】
2005298992.tif 000013
【図１２】
2005298992.tif 000014
【図１３】
2005298992.tif 000015